(57)【要約】【課題】メモリ性を有する表示部に表示した情報の漏洩防止を図った書き込み装置および表示装置を提供する。【解決手段】キーデバイス４を書き込み装置３の装着部６に装着すると、キーデバイス４からキーＩＤが受信され、そのキーＩＤとキーＩＤメモリに記憶されているキーＩＤとが照合され、両者が一致していると、表示部２０に画像が書き込まれる。電源ボタン３１Ａを押下すると、キーデバイスロック部７によってキーデバイス４をロックし、イジェクトボタン３１Ｂを押下すると、キーデバイス４をロックして表示部２０が表示している画像をモザイク化した後、キーデバイス４をアンロックする。【選択図】図１
2008084001.tif 000002
【特許請求の範囲】
【請求項１】
データが記録されたデバイスが装着される装着部と、
前記装着部に装着された前記デバイスを保持または開放する保持開放部と、
無電源で画像の表示を維持するメモリ性を有する表示部に画像を書き込む駆動部と、
前記装着部に装着された前記デバイスから前記データを受信する受信部と、
前記受信部によって受信された前記データに基づいて前記駆動部により前記表示部に対する処理を行うとともに、所定の指示操作がされたとき、前記保持開放部により前記デバイスを保持する制御部とを備えたことを特徴とする書き込み装置。
【請求項２】
前記制御部は、電源オフが指示されたとき、前記保持開放部により前記デバイスを保持することを特徴とする請求項１に記載の書き込み装置。
【請求項３】
前記保持開放部は、通電停止により前記デバイスを保持する電磁手段であることを特徴とする請求項２に記載の書き込み装置。
【請求項４】
前記制御部は、前記デバイスの開放が指示されたとき、前記保持開放部により前記デバイスを保持した後、前記表示部が表示している画像を認識不能に処理し、前記保持開放部により前記デバイスを開放することを特徴とする請求項１に記載の書き込み装置。
【請求項５】
前記デバイスは、前記データとして認証情報が記録されており、
前記制御部は、前記認証情報に基づいて認証を行い、認証が成立したとき、前記表示部に対する前記処理を行うことを特徴とする請求項１に記載の書き込み装置。
【請求項６】
前記装着部、前記保持開放部、前記駆動部、前記受信部および前記制御部を収容するとともに、前記表示部が分離可能に接続された装置本体と、
前記表示部の前記装置本体への接続を検出する接続検出部とを備え、
前記制御部は、前記接続検出部が前記表示部の前記装置本体への接続を検出しているとき、前記表示部に対する前記処理を行い、前記保持開放部により前記デバイスを開放することを特徴とする請求項４に記載の書き込み装置。
【請求項７】
データが記録されたデバイスが装着される装着部と、
前記装着部に装着された前記デバイスを保持または開放する保持開放部と、
無電源で画像の表示を維持するメモリ性を有する表示部と、
前記表示部に画像を書き込む駆動部と、
前記装着部に装着された前記デバイスから前記データを受信する受信部と、
前記受信部によって受信された前記データに基づいて前記駆動部により前記表示部に対する処理を行うとともに、所定の指示操作がされたとき、前記保持開放部により前記デバイスを保持する制御部とを備えたことを特徴とする表示装置。
【発明の詳細な説明】
【技術分野】
【０００１】
本発明は、書き込み装置および表示装置に関する。
【背景技術】
【０００２】
セキュリティ性の向上を図った従来の可搬型情報表示装置として、例えば、セキュリティキーが装着されていない状態では、所定の動作の実行を開始しないようにしたものが知られている（例えば、特許文献１参照。）。
【０００３】
この可搬型情報表示装置は、セキュリティキーが本体部の装着部に装着されると、セキュリティキーから認証情報を受信し、その認証情報と予め記憶している認証情報との照合の結果、両者が一致すると、本体部を動作可能状態とし、本体部のＲＡＭに記憶する内部情報の表示、変更、外部への出力が可能となる。
【特許文献１】特開２００４−２２０４８２号公報
【発明の開示】
【発明が解決しようとする課題】
【０００４】
本発明の目的は、メモリ性を有する表示部に表示した情報の漏洩防止を図った書き込み装置および表示装置を提供することにある。
【課題を解決するための手段】
【０００５】
本発明の一態様は、上記目的を達成するため、以下の書き込み装置および表示装置を提供する。
【０００６】
［１］データが記録されたデバイスが装着される装着部と、前記装着部に装着された前記デバイスを保持または開放する保持開放部と、無電源で画像の表示を維持するメモリ性を有する表示部に画像を書き込む駆動部と、前記装着部に装着された前記デバイスから前記データを受信する受信部と、前記受信部によって受信された前記データに基づいて前記駆動部により前記表示部に対する処理を行うとともに、所定の指示操作がされたとき、前記保持開放部により前記デバイスを保持する制御部とを備えたことを特徴とする書き込み装置。
【０００７】
［２］前記制御部は、電源オフが指示されたとき、前記保持開放部により前記デバイスを保持することを特徴とする前記［１］に記載の書き込み装置。
【０００８】
［３］前記保持開放部は、通電停止により前記デバイスを保持する電磁手段であることを特徴とする請求項２に記載の書き込み装置。
【０００９】
［４］前記制御部は、前記デバイスの開放が指示されたとき、前記保持開放部により前記デバイスを保持した後、前記表示部が表示している画像を認識不能に処理し、前記保持開放部により前記デバイスを開放することを特徴とする前記［１］に記載の書き込み装置。
【００１０】
［５］前記デバイスは、前記データとして認証情報が記録されており、前記制御部は、前記認証情報に基づいて認証を行い、認証が成立したとき、前記表示部に対する前記処理を行うことを特徴とする前記［１］に記載の書き込み装置。
【００１１】
［６］前記装着部、前記保持開放部、前記駆動部、前記受信部および前記制御部を収容するとともに、前記表示部が分離可能に接続された装置本体と、前記表示部の前記装置本体への接続を検出する接続検出部とを備え、前記制御部は、前記接続検出部が前記表示部の前記装置本体への接続を検出しているとき、前記表示部に対する前記処理を行い、前記保持開放部により前記デバイスを開放することを特徴とする前記［４］に記載の書き込み装置。
【００１２】
［７］データが記録されたデバイスが装着される装着部と、前記装着部に装着された前記デバイスを保持または開放する保持開放部と、無電源で画像の表示を維持するメモリ性を有する表示部と、前記表示部に画像を書き込む駆動部と、前記装着部に装着された前記デバイスから前記データを受信する受信部と、前記受信部によって受信された前記データに基づいて前記駆動部により前記表示部に対する処理を行うとともに、所定の指示操作がされたとき、前記保持開放部により前記デバイスを保持する制御部とを備えたことを特徴とする表示装置。
【発明の効果】
【００１３】
請求項１に係る書き込み装置によれば、所定の指示操作に対しては、デバイスが書き込み装置から分離できなくなることから、画像が表示されたまま書き込み装置が他人へ渡されることが少なくなり、情報の漏洩防止を図ることができる。
【００１４】
請求項２に係る書き込み装置によれば、電源オフを指示すると、デバイスが書き込み装置から分離できなくなることから、画像が表示されたまま書き込み装置が他人へ渡されることが少なくなり、情報の漏洩防止を図ることができる。
【００１５】
請求項３に係る書き込み装置によれば、電源オフ指示に対して電源オフを実行してもデバイスを保持することができる。
【００１６】
請求項４に係る書き込み装置によれば、デバイスの開放を指示すると、画像が認識不能に処理された後にデバイスが開放されることから、画像が表示されたまま書き込み装置が他人へ渡されても、表示内容が認識されないため、情報の漏洩防止を図ることができる。
【００１７】
請求項５に係る書き込み装置によれば、認証された者のみが表示部への画像の表示等を行うことができ、表示画像を見る者を制限することができる。
【００１８】
請求項６に係る書き込み装置によれば、デバイスが装置本体に装着されたまま表示部を装置本体から分離して他人へ渡されるということが少なくなり、情報の漏洩防止を図ることができる。
【００１９】
請求項７に係る表示装置によれば、所定の指示操作に対しては、デバイスが書き込み装置から分離できなくなることから、画像が表示されたまま書き込み装置が他人へ渡されることが少なくなり、情報の漏洩防止を図ることができる。
【発明を実施するための最良の形態】
【００２０】
［第１の実施の形態｝
図１は、本発明の第１の実施の形態に係る表示システムを示す。この表示システム１は、メモリ性を有する表示メディア２と、表示メディア２に画像を書き込む書き込み装置３と、書き込み装置３に対して着脱可能なキーデバイス４と、書き込み装置３に画像データを送信するパーソナルコンピュータ（ＰＣ）５とを備える。なお、表示メディア２と書き込み装置３により表示装置を構成する。書き込み装置３とＰＣ５との間は、通信ケーブルを用いて通信してもよく、無線を用いて通信してもよい。
【００２１】
（表示メディア）
表示メディア２は、メモリ性を有する表示部２０と、表示部２０を支持する枠部２１と、書き込み装置３に着脱可能に係合する後述する係合構造とを備える。
【００２２】
表示部２０は、対向するように配置された一対の電極と、一対の電極間に配置されたメモリ性を有する表示層とを備える。メモリ性を有する表示層としては、例えば、コレステリック液晶、強誘電性液晶等の液晶を用いることができる。なお、表示層として、液晶に限られず、帯電した粒子を移動させて表示を切り替える電気泳動方式、帯電した粒子を回転させて表示を切り替える粒子回転方式、磁気により粒子を移動させて表示を切り替える磁気泳動方式等の他の表示層を用いてもよい。メモリ性を有する表示層を用いることにより、画像の表示を保持するのにほとんど電力を必要としないため、省電力化が図れる。
【００２３】
（書き込み装置）
書き込み装置３は、表示メディア２およびキーデバイス４が着脱可能な装置本体３０と、装置本体３０の表面に設けられ、電源のオン／オフを指示する電源ボタン３１Ａと、キーデバイス４の取り出しを指示するイジェクトボタン３１Ｂとを備える。電源ボタン３１Ａは、電源がオフ状態のときに押下した場合は、電源オンを指示し、電源がオン状態のときに押下した場合は、電源オフを指示するように構成されている。
【００２４】
装置本体３０は、キーデバイス４が装着される装着部６と、装着部６に装着されたキーデバイス４を取出し不能に保持し、または開放する保持開放部としてのキーデバイスロック部７と、表示メディア２が着脱可能に係合する後述する係合構造とを備える。
【００２５】
（キーデバイス）
キーデバイス４は、薄型矩形状のキーデバイス本体４０を有し、このキーデバイス本体４０の表面に設けられたコンタクト部４１と、係止穴４２と、キーデバイス４を識別するキーＩＤを記憶しているＩＣチップ（図示せず）とを備える。
【００２６】
キーデバイス４は、本実施の形態では、接触型のＩＣカードを用いるが、非接触型のＩＣカードでもよく、ＵＳＢ(Universal Serial Bus)メモリやメモリカード等の他の記録メディアでもよい。
【００２７】
（ＰＣ）
ＰＣ５は、ＣＰＵと、各種のプログラムやデータを記憶する記憶部と、キーボード、マウス等の入力部と、液晶ディスプレイ等の表示部とを備え、記憶部に記憶されている複数の画像データから表示メディア２に表示すべき画像データを選択して書き込み装置３に送信する機能を有する。
【００２８】
図２は、キーデバイスロック部７の詳細を示す。キーデバイスロック部７は、キーデバイス４が装着されたことを検出する光センサ７０と、通電停止によりキーデバイス４をロックするロック用ソレノイド７１と、通電によりキーデバイス４をイジェクトするイジェクト用ソレノイド７２とを備える。なお、ロック用ソレノイド７１は、通電によりキーデバイス４をロックしてもよい。
【００２９】
装置本体３０は、キーデバイス４が装着されたとき、キーデバイス４のコンタクト部４１に接触するコンタクト接触部３７ａを装着部６に突出するように設けており、光センサ７０、ロック用ソレノイド７１、イジェクト用ソレノイド７２、およびコンタクト接触部３７ａのそれぞれに対向する位置に開口３０ａ、３０ｂ、３０ｃ、３０ｄが形成され、キーデバイス４の先端が当接する当接壁３０ｅを備える。コンタクト接触部３７ａは、導電性および弾性を有するリン青銅，ベリリュウム銅等の銅合金、ステンレス鋼等のばね材料等からなり、装着部６側に突出するように湾曲されている。
【００３０】
光センサ７０は、装着されたキーデバイス４に光を照射する発光ダイオードと、キーデバイス４で反射した光を受光して検出信号を出力するフォトダイオードとからなる。
【００３１】
図３は、ロック用ソレノイド７１を示す。ソレノイド７１は、コイル７１０と、コイル７１０内に軸方向に移動可能に配置された可動鉄心７１１と、可動鉄心７１１を上方に付勢するばね７１２と、コイル７１０、可動鉄心７１１およびばね７１２を収容するケース７１３とを備える。可動鉄心７１１は、コイル７１０内に配置された軸部７１１ａと、軸部７１１ａよりも外径が大きい鍔部７１１ｂと、キーデバイス４の係止穴４２に係合する係合部７１１ｃとから構成されている。ばね７１２は、コイル７１０と可動鉄心７１１の鍔部７１１ｂとの間に配置されている。ケース７１３は、下端側に可動鉄心７１１の軸部７１１ａが突出できるように後端開口部７１３ａが形成され、先端側に鍔部７１１ｂが当接する先端壁部７１３ｂを設け、先端側に可動鉄心７１１の係合部７１１ｃが突出できるように先端開口部７１３ｃが形成されている。
【００３２】
以上のように構成されたソレノイド７１は、コイル７１０に通電すると、可動鉄心７１１がばね７１２のばね力に抗して下方へ引き込まれ、コイル７１０への通電を停止すると、可動鉄心７１１がばね７１２に付勢されて上方へ突出し、可動鉄心７１１の係合部７１１ｃがキーデバイス４の係止穴４２に係合する。
【００３３】
図４は、イジェクト用ソレノイド７２を示す。ソレノイド７２は、コイル７２０と、コイル７２０内に軸方向に移動可能に配置された可動鉄心７２１と、可動鉄心７２１を引き込み側に付勢するばね７２２と、コイル７２０、可動鉄心７２１およびばね７２２を収容するケース７２３とを備える。可動鉄心７２１は、コイル７２０内に配置された軸部７２１ａと、軸部７２１ａよりも外径が大きい鍔部７２１ｂとから構成されている。ばね７２２は、コイル７２０と可動鉄心７２１の鍔部７２１ｂとの間に配置されている。ケース７２３は、先端側に可動鉄心７２１の軸部７２１ａが突出できるように開口部７２３ａが形成されている。
【００３４】
以上のように構成されたソレノイド７２は、コイル７２０に通電すると、可動鉄心７２１がばね７２２のばね力に抗して前方へ突出し、キーデバイス４を外側に押し出し、コイル７２０への通電を停止すると、可動鉄心７２１がばね７１２に付勢されて後方へ引き込まれる。
【００３５】
（書き込み装置と表示メディアとの係合構造）
図５は、書き込み装置３と表示メディア２との係合構造を示す。書き込み装置３側の係合構造５Ａは、先端部が装置本体３０から露出して装置本体３０の内部の左右に回動可能に設けられた樹脂等からなるレバー５０と、レバー５０の後端側に配置されたコ字状部材５１と、レバー５０の後端側を外側に回動させるばね５２と、レバー５０の後端側を内側に回動させる押しボタン５３とを備える。レバー５０は、先端に傾斜面５０ａが形成されている。また、装置本体３０には複数のピン３９ａを有する電気コネクタ３９が配置されている。
【００３６】
表示メディア２側の係合構造５Ｂは、書き込み装置３側の係合構造５Ａのレバー５０に係合する樹脂等からなる係合突起５４が表示メディア２の枠部２１の左右に設けられている。係合突起５４は、先端に傾斜面５４ａが形成されている。また、表示メディア２には、書き込み装置３の電気コネクタ３９に電気的に接続する電気コネクタ２２が配置されている。電気コネクタ２２は、電気コネクタ３９の複数のピン３９ａに電気的に接続する図示しない接続穴を有する。書き込み装置３の後述する表示駆動部から電気コネクタ３９および電気コネクタ２２を介して表示部２０に駆動信号が供給される。
【００３７】
書き込み装置３と表示メディア２とを係合するには、表示メディア２と書き込み装置３とを対向させて電気コネクタ２２と電気コネクタ３９とを電気的に接続すると、レバー５０の傾斜面５０ａと係合突起５４の傾斜面５４ａとが接触し、レバー５０が僅かに回動してレバー５０の先端部と係合突起５４の先端部とが、図５（ｂ）に示すように係合する。
係合状態の書き込み装置３と表示メディア２とを分離するには、左右の押しボタン５３を押すことにより、レバー５０の先端部が外側に回動し、レバー５０と係合突起５４との係合状態が解除され、表示メディア２を書き込み装置３から分離することができる。
【００３８】
図６は、書き込み装置３の制御系を示すブロック図である。書き込み装置３は、本装置３の各部を制御する制御部３２と、ＰＣ５と通信を行う通信部３３と、複数のキーデバイスを識別する認証情報としての複数のキーＩＤを予め記憶するキーＩＤメモリ３４Ａと、ＰＣ５から転送された画像を記憶する画像メモリ３４Ｂと、表示メディア２の書き込み装置３への接続を検出する表示メディア接続検出部３５と、表示メディア２を駆動する表示駆動部３６と、装着されたキーデバイス４の取り出しをロックする上記のキーデバイスロック部７と、キーデバイス４のコンタクト部４１に電気的に接触する上記のコンタクト接触部３７ａを有し、キーデバイス４からコンタクト部４１およびコンタクト接触部３７ａを介してデータを受信するデータ受信部３７と、本装置３の各部および表示メディア２に電源を供給する電源部３８とを備える。
【００３９】
表示メディア接続検出部３５は、例えば、電気コネクタ３９のピン３９ａ間の抵抗値の変化により表示メディア２の書き込み装置３への接続を検出するように構成されているが、検出方法はこれに限定されない。
【００４０】
データ受信部３７は、キーデバイス４にコンタクト接触部３７およびコンタクト部４１を介して電源を供給し、ＩＣチップが保持するキーＩＤを受信するものである。なお、データ受信部３７は、キーデバイス４の種類に応じた構成を有し、例えば、キーデバイス４が非接触型のＩＣカードの場合は、アンテナと、アンテナに高周波信号を送信する送信回路と、アンテナが受信した電波を復調する受信回路等を備える。
【００４１】
次に、本システム１の動作を図８および図９のフローチャートに従って説明する。
【００４２】
（１）画像書き換え動作
図８は、書き込み装置３による画像書き換え動作を示すフローチャートである。ユーザは、書き込み装置３の電源ボタン３１Ａを押下して電源をオンにする。電源部３８は、書き込み装置３の各部に電源を供給する。ソレノイド７１は、通電されて可動鉄心７１１を引き込む。これにより、キーデバイス４の装着部６への装着が可能になる。
【００４３】
ユーザがＰＣ５を操作して画像データを選択すると、ＰＣ５のＣＰＵは、書き込み要求信号を書き込み装置３に送信する。書き込み装置３の制御部３２は、ＰＣ５からの書き込み要求信号を通信部３３により受信する（Ｓ１）。
【００４４】
ユーザが、図７（ａ）に示すように、キーデバイス４をその先端が書き込み装置３の当接面３０ｅに当接するまで装着部６に装着すると、光センサ７０はキーデバイス４が装着部６に装着されたことを検出し、その検出信号を制御部３２に送る。
【００４５】
制御部３２は、光センサ７０から検出信号を受信すると（Ｓ２：Ｙｅｓ）、ロック用ソレノイド７１への通電を停止して可動鉄心７１１を突出させる。可動鉄心７１１の係合部７１１ａは、図７（ｂ）に示すように、キーデバイス４の係止穴４２に係合し、キーデバイス４を取出し不能にロックする（Ｓ３）。
【００４６】
一方、キーデバイス４が装着部６に装着されると、キーデバイス４のコンタクト部４１とコンタクト接触部３７ａとが接触する。データ受信部３７は、キーデバイス４のＩＣチップからキーＩＤをコンタクト部４１およびコンタクト接触部３７ａを介して受信する（Ｓ４）。制御部３２は、データ受信部３７が受信したキーＩＤがキーＩＤメモリ３４Ａに記憶されている複数のキーＩＤのいずれかと一致するか否かを判断する（Ｓ５）。
【００４７】
一致する場合は、書き込み装置３の制御部３２は、ＰＣ５に画像データの送信を要求する。ＰＣ５のＣＰＵは、ユーザによって選択された画像データを書き込み装置３に送信する。書き込み装置３は、ＰＣ５から送信された画像データを通信部３３により受信し、その画像データを画像メモリ３４Ｂにストアする（Ｓ６）。
【００４８】
続いて、制御部３２は、表示メディア２が書き込み装置３に接続されていることを表示メディア接続検出部３５により確認し（Ｓ７：Ｙｅｓ）、表示駆動部３６により画像メモリ３４Ｂにストアした画像データで表示メディア２の表示部２０が表示している画像を書き換える（Ｓ８）。
【００４９】
制御部３２は、ロック用ソレノイド７１に通電してキーデバイス４をアンロックする（Ｓ９）。ロック用ソレノイド７１は、通電されると、可動鉄心７１１は引き込まれ、可動鉄心７１１の係合部７１１ｃは、キーデバイス４の係止穴４２から外れる。
【００５０】
上記ステップＳ２でキーデバイス４が装着されていない場合、すなわち、光センサ７０から検出信号が到来していない場合（Ｓ２：Ｎｏ）、および上記ステップＳ５で認証が不成立の場合（Ｓ５：Ｎｏ）、制御部３２は、エラーメッセージを表示メディア２に表示する（Ｓ１０）。
【００５１】
（２）電源オフ指示に対する動作
ユーザが電源ボタン３１Ａを押下して電源オフを指示すると、制御部３２は、電源部３８から各部への電源供給を停止する。表示メディア２の表示部２０は、メモリ性を有しているので、表示画像を保持する。ロック用ソレノイド７１の可動鉄心７１１の係合部７１１ｃは、キーデバイス４の係止穴４２に係合しているので、キーデバイス４は、引き出すことはできない。従って、キーデバイス４が書き込み装置３に装着されたまま表示メディア２がキーデバイス４の所有者以外の者に渡される可能性が低いことから、情報の漏洩を防止することができる。キーデバイス４を取り外すためには、後述する図９に示す動作が必要になる。なお、電源オフの指示に対して、直ちに電源オフを実行せずに、後述するイジェクト指示に対する動作を行った後に、電源オフを実行してもよい。
【００５２】
（３）キーデバイスの取り外し動作
図９は、イジェクトが指示された場合の書き込み装置３の動作を示すフローチャードである。
【００５３】
ユーザがイジェクトボタン３１Ｂを押下すると（Ｓ１１）、制御部３２は、ロック用ソレノイド７１への通電を停止して可動鉄心７１１を突出させる。可動鉄心７１１の係合部７１１ａは、図７（ｂ）に示すように、キーデバイス４の係止穴４２に係合し、キーデバイス４を取出し不能にロックする（Ｓ１２）。
【００５４】
制御部３２は、画像メモリ３４Ｂにストアされている画像データを認識不能に処理（例えばモザイク化）する（Ｓ１３）。続いて制御部３２は、表示メディア２が書き込み装置３に接続されていることを表示メディア接続検出部３５により確認し（Ｓ１４：Ｙｅｓ）、表示駆動部３６によりモザイク化した画像データで表示メディア２が表示している画像を書き換える（Ｓ１５）。なお、画像データを認識不能に処理する他の例として、画面を暗くしてもよい。また、氏名、住所、電話番号等の個人情報のみにマスク処理を施してもよい。
【００５５】
制御部３２は、ロック用ソレノイド７１に通電してキーデバイス４をアンロックする（Ｓ１６）。ロック用ソレノイド７１は、通電されると、可動鉄心７１１は引き込まれ、可動鉄心７１１の係合部７１１ｃは、キーデバイス４の係止穴４２から外れる。
【００５６】
制御部３２は、図７（ｃ）に示すように、イジェクトソレノイド７２に通電してキーデバイス４を押し出す（Ｓ１７）。ユーザは装置本体３０から露出しているキーデバイス４の部分を持ってキーデバイス４を引き出す。
【００５７】
（４）表示メディアの取り外し動作
表示メディア２を書き込み装置３から取り外して両者を分離するためには、一対の押しボタン５３を押すことにより、表示メディア２を書き込み装置３から分離することができ、表示メディア２だけを携帯して表示メディア２の表示内容を見ることができる。表示メディア２を書き込み装置３に接続して上記（３）の動作を行わないと、キーデバイス２を書き込み装置３から取り外せないため、ユーザは、表示デバイス２を他人に渡す可能性が低くなり、情報の漏洩を防止することができる。
【００５８】
なお、表示メディア２を書き込み装置３から分離する際、表示メディア２が表示している画像を認識不能に処理してもよい。
【００５９】
［第２の実施の形態］
図１０は、本発明の第２の実施の形態に係る書き込み装置３の要部断面図である。この書き込み装置３は、キーデバイス４を書き込み装置３の装着部６に装着した場合に、キーデバイス４の一部が書き込み装置３の装置本体３０から露出するようにしたものであり、書き込み装置３には、第１の実施の形態のようにイジェクト用ソレノイド７２は設けていない。
【００６０】
本実施の形態では、電源ボタン３１Ａが押下されて電源が投入されたら、ロック用ソレノイド７１に通電してキーデバイス４を挿入可能とし、キーデバイス４を挿入して光センサ７０がそれを検出すると、ロック用ソレノイド７１への通電を停止してキーデバイス４をロックする。また、イジェクトボタン３１Ｂが押下された場合は、表示メディア２に表示されている画像をモザイク化した後、ロック用ソレノイド７１に通電してキーデバイスをアンロックする。これによりユーザはキーデバイス４を書き込み装置３から取り外すことができる。
【００６１】
［他の実施の形態］
なお、本発明は、上記各実施の形態に限定されず、その要旨を変更しない範囲内で種々な変形が可能である。
【００６２】
例えば、キーデバイス４に画像データを書き込んでおき、キーデバイス４から読み取った画像データを表示部２０に書き込んでもよい。
【００６３】
また、上記実施の形態では、キーデバイス４が保持するキーＩＤの認証を書き込み装置３で行ったが、ＰＣ５や他のサーバ等の装置で行ってもよい。
【図面の簡単な説明】
【００６４】
【図１】本発明の第１の実施の形態に係る表示システムを示す構成図である。
【図２】キーデバイスロック部の詳細を示す断面図である。
【図３】ロック用ソレノイドの断面図である。
【図４】イジェクト用ソレノイドの断面図である。
【図５】書き込み装置と表示メディアの係合構造を示し、（ａ）は係合前の図、（ｂ）は係合後の図である。
【図６】書き込み装置の制御系を示すブロック図である。
【図７】（ａ）〜（ｃ）は、キーデバイスの動作を示す図である。
【図８】書き込み装置による画像書き換え動作を示すフローチャートである。
【図９】イジェクトが指示された場合の書き込み装置の動作を示すフローチャードである。
【図１０】本発明の第２の実施の形態に係る書き込み装置の要部断面図であって、（ａ）はキーデバイスのアンロック状態を示し、（ｂ）はキーデバイスのロック状態を示す図である。
【符号の説明】
【００６５】
１  表示システム
２  表示メディア
３  書き込み装置
４  キーデバイス
５Ａ，５Ｂ  係合構造
６  装着部
７  キーデバイスロック部
２０  表示部
２１  枠部
２２  電気コネクタ
３０  装置本体
３０ａ〜３０ｃ  開口
３０ｅ  当接壁
３１Ａ  電源ボタン
３１Ｂ  イジェクトボタン
３２  制御部
３３  通信部
３４Ａ  キーＩＤメモリ
３４Ｂ  画像メモリ
３５  表示メディア接続検出部
３６  表示駆動部
３７  データ受信部
３７ａ  コンタクト接触部
３８  電源部
３９  電気コネクタ
３９ａ  ピン
４０  キーデバイス本体
４１  コンタクト部
４２  係止穴
５０  レバー
５０ａ  傾斜面
５１  コ字状部材
５２  ばね
５３  押しボタン
５４  係合突起
５４ａ  傾斜面
７０  光センサ
７１  ロック用ソレノイド
７２  イジェクト用ソレノイド
７１０  コイル
７１１  可動鉄心
７１２  ばね
７１３  ケース
７１１ａ  軸部
７１１ｂ  鍔部
７１１ｃ  係合部
７１３ａ  後端開口部
７１３ｂ  先端壁部
７１３ｃ  先端開口部
７２０  コイル
７２１  可動鉄心
７２２  ばね
７２３  ケース
７２１ａ  軸部
７２１ｂ  鍔部
【図１】
2008084001.tif 000003
【図２】
2008084001.tif 000004
【図３】
2008084001.tif 000005
【図４】
2008084001.tif 000006
【図５】
2008084001.tif 000007
【図６】
2008084001.tif 000008
【図７】
2008084001.tif 000009
【図８】
2008084001.tif 000010
【図９】
2008084001.tif 000011
【図１０】
2008084001.tif 000012